(57)【特許請求の範囲】
【請求項１】
トーション部と前記トーション部の両端部から伸びるアーム部とにより全体として略コ字状をなすスタビライザと、
前記トーション部の両端部に設けられ、前記スタビライザを車体に固定するためのブッシュと、
前記ブッシュと接触する接触部を有し、前記ブッシュに隣接して設けられかつ前記トーション部の軸方向の所定の範囲の全周を覆うように前記トーション部に対して一体成形された樹脂製のずれ止め部材と  
を備え、
前記ずれ止め部材は、前記接触部を挟んで前記ブッシュの反対側に前記トーション部の軸方向に向けて前記ブッシュから離れるにしたがって外径が小さくなる傾斜部を有することを特徴とするスタビライザ装置。
【請求項２】
前記ずれ止め部材は、前記接触部を挟んで前記ブッシュの反対側に前記トーション部の軸方向に向けて前記ブッシュから離れるにしたがって外径が小さくなる複数のリブを有することを特徴とする請求項１に記載のスタビライザ装置。
【請求項３】
前記ずれ止め部材は、前記トーション部の軸方向において、長さが１０ｍｍ〜１５ｍｍに形成されることを特徴とする請求項１に記載のスタビライザ装置。
【請求項４】
前記ずれ止め部材は、最も厚い部分の厚さが３ｍｍ〜５ｍｍに形成されることを特徴とする請求項１に記載のスタビライザ装置。
【請求項５】
前記トーション部の外周面に、前記トーション部と前記ずれ止め部材とのずれを防止する凹凸部を設けることを特徴とする請求項１に記載のスタビライザ装置。
【請求項６】
棒材を略コ字状に成形する成形工程を行い、成形されたスタビライザ半製品に対して熱処理工程を行い、次いで前記スタビライザ半製品にショットを投射するショットピーニングを行い、次いでダイレクトインジェクションにより樹脂でずれ止め部材を前記スタビライザ半製品の肩部に一体成形する射出成形工程を行い、次いでスタビライザ半製品およびずれ止め部材を塗装する塗装工程を行い、
前記射出成形工程では、前記ずれ止め部材を構成する接触部および傾斜部を形成し、
前記傾斜部の形成では、前記傾斜部を、前記接触部におけるブッシュが設けられる側とは反対側に配置させ、前記傾斜部は、前記スタビライザ半製品のトーション部の軸方向に沿って、前記ブッシュが設けられる側から離れるにしたがって外径が小さくなる形状をなすことを特徴とするスタビライザ装置の製造方法。
【請求項７】
前記射出成形工程では、前記ずれ止め部材を所定の形状に成形するためのキャビティと、前記キャビティと連続するように設けられ、前記スタビライザ半製品の肩部を支持するグリップ部とを有する金型を使用し、
前記ダイレクトインジェクション時において、前記肩部と前記グリップ部との隙間が０．６ｍｍ以内であることを特徴とする請求項６に記載のスタビライザ装置の製造方法。
【発明の詳細な説明】
【技術分野】
【０００１】
本発明は、自動車等の車両に搭載されるスタビライザ装置およびその製造方法に関する。
【背景技術】
【０００２】
スタビライザ装置のスタビライザは、スタビライザ装置を有する車両がカーブ走行するときなどのように、左右のサスペンション機構に上下逆位相の入力があったとき、左右のアーム部が互いに逆方向に撓むとともにトーション部がねじられ、車体の横揺れを制御するばねとして機能する。従来から、スタビライザは、スタビライザに設けられたゴム製のブッシュを介して、ボルトによりブラケットを車体側に締結することによって、車両の車体に固定されている。
【０００３】
しかしながら、カーブ走行するときの遠心力による荷重により、トーション部とブッシュとが互いの摩擦力に抗して、その位置がずれることがある。このずれは逆方向に遠心力が発生する状態や車両が直進する状態などになっても元の位置に復帰せず、所定の位置からずれたままとなる。そのため、スタビライザによるアンチロール効果が得られなかったり、スタビライザの両端に締結されているスタビリンクに過剰の負担を与えたり、スタビライザがスタビライザの周辺部品と干渉するリスクを高めるなどの問題があった。
【０００４】
そこで、ブッシュがずれるのを防止するため、アルミリングをかしめてずれ止め部材としたり、あるいは鉄リングをかしめてずれ止め部材としていた。これらのずれ止め部材は、スタビライザ一本あたり左右に一個ずつ計２個使用されていた。一方、ブッシュがずれるのを防止する方法としては、ゴム製のブッシュ自身をトーション部に接着剤により、もしくは熱キュア工程を行うことにより、直接固定する方法もある。
【０００５】
ここで、ずれ止め部材としてアルミリングを備えた中空スタビライザ装置の製造方法では、まず、所定の長さに切断された電縫管を冷間加工により、スタビライザの形状に成形する成形工程を行い、次いでスタビライザ半製品に焼入れ・焼戻しなどの熱処理を実施する熱処理工程を行い、次いでスタビライザ半製品にショットを投射するショットピーニングを行い、次いでスタビライザ半製品に塗装する塗装工程を行う。その後、半割りまたは２ピースからなるアルミリングをかしめてずれ止め部材としていた。
【０００６】
また、ずれ止め部材として鉄リングを備えた中空スタビライザ装置の製造方法では、まず、所定の長さに切断された電縫管を曲げ加工によりアーム部を成形し、次いでＣ型に形成された鉄リングを曲げ加工した電縫管に通し、そしてアーム部の端部に扁平部およびスタビリンクを取り付ける取付孔を鍛造などで加工する加工工程を行う。その後、鉄リングをかしめ、そして塗装する塗装工程を行っていた。
【０００７】
一方、ゴム製のブッシュの固定方法では、ゴム製のブッシュをスタビライザのトーション部にダイレクトインジェクションによって一体成形し、熱キュア工程によって硬化させていた。これらに関連する文献として、特許文献１および２などがある。
【特許文献１】特開２００１−１６３０２６号公報
【特許文献２】特開２００１−１６５１２７号公報
【発明の開示】
【発明が解決しようとする課題】
【０００８】
しかしながら、アルミリングは、半割りまたは２ピースからなるアルミリングをかしめてトーション部に固定する方法であり、構造的弱点部となる接続部がある。この接続部があることにより、アルミリングの強度が弱い。そのため、アルミリングに荷重を受けると、かしめ形態が破壊されやすくなる。したがって、アルミリングの固定強度が低下しやすく、車両の左右でスタビライザの固定位置が不均衡になり、車両がカーブするとき、スタビライザ本来の効果が十分に得られない。その結果、十分な信頼性のあるスタビライザ装置とはいえなかった。
【０００９】
また、アルミリングは、スタビライザ半製品に塗装した後にかしめて固定するため、塗膜を介してスタビライザに固定されている状態となり、スタビライザ半製品への塗料の付き具合である塗装強度に左右される。そのため、本来の塗装強度が得られないと、塗膜とともにずれ止め部材も移動することとなり、ずれ止め部材本来の固定強度が得られず、ずれ止め部材としての機能を十分に得られない。その結果、十分な信頼性のあるスタビライザ装置とはいえなかった。さらに、ずれ止め部材がアルミリングや鉄リングの場合は、樹脂製のずれ止め部材に比べて重量が重い。そのため、スタビライザ装置の軽量化を促進することができなかった。
【００１０】
また、鉄リングは、アルミリングに比べて変形抵抗が高いので、かしめやすいように円形に形成されるため、アーム部の端部に扁平部およびスタビリンクを取り付ける取付孔を鍛造などで成形する前にトーション部に通しておく必要がある。つまり、電縫管の曲げ後でスタビライザ半製品の塗装前に鉄リングを電縫管に通しておく必要がある。そのため、鉄リングをかしめていない状態のまま落下、脱落させることなく、扁平部および取付孔を加工する加工工程などを経る必要があり、ハンドリングが煩雑であった。
【００１１】
さらに、ゴム製のブッシュは、熱キュア工程を必要とするため、製造工程が煩雑になり、コストがかかる。また、ゴムでのダイレクトインジェクションは、スタビライザの肩部とスタビライザの肩部を支持する金型のグリップ部との隙間からゴムがばりとなって出てきてしまう。例えば、隙間が０．２ｍｍ程度でもばりが発生することが判明している。そのため、そのばりを取り除く工程が必要となり、製造コストが増大していた。
【００１２】
そこで本発明は、信頼性が高く軽量なスタビライザ装置を提供することを目的とする。
【課題を解決するための手段】
【００１３】
本発明のスタビライザ装置は、トーション部と前記トーション部の両端部から伸びるアーム部とにより全体として略コ字状をなすスタビライザと、前記トーション部の両端部に設けられ、前記スタビライザを車体に固定するためのブッシュと、前記ブッシュと接触する接触部を有し、前記ブッシュに隣接して設けられかつ前記トーション部の軸方向の所定の範囲の全周を覆うように前記トーション部に対して一体成形された樹脂製のずれ止め部材とを備え、前記ずれ止め部材は、前記接触部を挟んで前記ブッシュの反対側に前記トーション部の軸方向に向けて前記ブッシュから離れるにしたがって外径が小さくなる傾斜部を有することを特徴とする。
【００１４】
樹脂としては、ポリフェニレンサルファイドまたはポリエーテルエーテルケトンなどが好適である。例えば、ポリフェニレンサルファイドまたはポリエーテルエーテルケトンなどの材料では、ずれ止め部材をダイレクトインジェクションするときの射出条件を選定すれば、ばりなどの発生を防止することができる。また、ポリフェニレンサルファイドまたはポリエーテルエーテルケトンなどの材料は、ずれ止め部材の射出成形工程の後に行うスタビライザの塗装工程において塗料を乾燥させる工程での熱に耐えられる耐熱性や強度を備えている。
【００１５】
本発明によれば、ずれ止め部材に構造的弱点部となる接続部がなく、荷重により安易にスタビライザのトーション部への固定強度を失うことを防止でき、ブッシュがトーション部の最適な位置に保たれる。また、アルミリングでは荷重がかかると、アルミリングはずれ止め部材としての能力を一気に失うのに対し、樹脂製のずれ止め部材は仮にずれたとしてもずれるときに要する荷重はほとんど変化しない。そのため、ずれ止め部材はブッシュがトーション部の軸方向に移動するのを阻止するというずれ止め部材としての機能を維持することができる。その結果、スタビライザが所定の設計意図した性能を発揮することができ、信頼性を高めることができる。一方、ずれ止め部材は樹脂製であるため、アルミリングや鉄リングに比べて重量が軽い。そのため、スタビライザ装置の軽量化を促進することができる。
【００１６】
本発明の傾斜部としては、傾斜部分がテーパー形状、傾斜部分の断面形状が放物線状や円形形状などが挙げられる。
【００１７】
本発明において、前記ずれ止め部材は、前記接触部を挟んで前記ブッシュの反対側に前記トーション部の軸方向に向けて前記ブッシュから離れるにしたがって外径が小さくなる複数のリブを有することが望ましい。この態様のリブとしては、傾斜部分がテーパー形状、傾斜部分の断面形状が放物線状や円形形状などが挙げられる。
【００１８】
上記態様によれば、車体に遠心力が働くと、ブッシュの外周に設けられたブラケットに荷重がかかる。このように荷重がかかると、ブッシュはずれ止め部材側に撓む。これによって、ずれ止め部材の接触部の外周側の部分に荷重がかかる。そのため、ずれ止め部材にモーメントがトーション部の軸方向に向かって働く。つまり、ずれ止め部材の内周面でトーション部の外周面を押し付ける状態となり、ずれ止め部材からトーション部に荷重がかかる。したがって、トーション部とずれ止め部材との摩擦力が増し、より高い摩擦力を発揮する。その結果、ブッシュがずれるのを防止し、スタビライザ装置の信頼性を高めることができる。
【００１９】
また、駄肉をできるだけ排除することによって、ずれ止め部材がずれ止め部材の周辺部品と干渉するのを回避でき、軽量化および使用する樹脂が減ることによるコストダウンを図ることができる。また、ずれ止め部材を成形した後に行う塗装工程で、ずれ止め部材が遮蔽物となって塗装むらをずれ止め部材付近で起こすリスクを減少させることができる。さらに、リブの場合には、傾斜部の場合に比べて、さらに軽量化および使用する樹脂が減ることによるコストダウンが図れる。
【００２０】
本発明において、前記ずれ止め部材は、前記トーション部の軸方向において、長さが１０ｍｍ〜１５ｍｍに形成されることが望ましい。この態様によれば、車両がカーブするときに発生する遠心力によりブッシュがずれ止め部材に接触することによる荷重に耐えられる摩擦力を発揮しつつ、ずれ止め部材を小型化することができる。そのため、スタビライザのトーション部のブッシュを除いたストレート長をできるだけ短くすることができ、スタビライザを小型化することができる。その結果、スタビライザ装置の軽量化を図ることができる。
【００２１】
本発明において、前記ずれ止め部材は、最も厚い部分の厚さが３ｍｍ〜５ｍｍに形成されることが望ましい。この態様によれば、接触部がずれ止め部材としてブッシュに接触する面積を確保しつつ、ずれ止め部材を小型化することができる。そのため、ずれ止め部材がずれ止め部材の周辺部品と干渉するのを防止することができ、スタビライザ装置の軽量化を図ることができる。
【００２２】
本発明において、前記トーション部の外周面に、前記トーション部と前記ずれ止め部材とのずれを防止する凹凸部を設けることが望ましい。凹凸部としては、ショットブラストまたはショットピーニングにより粗度劣化される、または、窪みを設ける、または、突起を設ける、または、ライン突起を設ける、または、ライン溝を設けることなどが挙げられる。なお、窪み、突起、ライン突起およびライン溝を設けるには、スタビライザ装置の製造工程が増加するため、ショットピーニングにより凹凸部を設けるのが好適である。この態様によれば、アンカー効果を利用して、ブッシュのずれを防止する耐ずれ力をさらに高めることができる。そのため、ずれ止め部材はブッシュがトーション部の軸方向に移動するのをさらに阻止することができる。その結果、スタビライザ装置の信頼性を高めることができる。
【００２３】
本発明のスタビライザ装置の製造方法は、棒材を略コ字状に成形する成形工程を行い、成形されたスタビライザ半製品に対して熱処理工程を行い、次いで前記スタビライザ半製品にショットを投射するショットピーニングを行い、次いでダイレクトインジェクションにより樹脂でずれ止め部材を前記スタビライザ半製品の肩部に一体成形する射出成形工程を行い、次いでスタビライザ半製品およびずれ止め部材を塗装する塗装工程を行い、前記射出成形工程では、前記ずれ止め部材を構成する接触部および傾斜部を形成し、前記傾斜部の形成では、前記傾斜部を、前記接触部におけるブッシュが設けられる側とは反対側に配置させ、前記傾斜部は、前記スタビライザ半製品のトーション部の軸方向に沿って、前記ブッシュが設けられる側から離れるにしたがって外径が小さくなる形状をなすことを特徴とする。
【００２４】
本発明によれば、ずれ止め部材に構造的弱点部となる接続部がなく、荷重により安易にスタビライザのトーション部への固定強度を失うことを防止でき、ブッシュがトーション部の最適な位置に保たれる。また、アルミリングでは荷重がかかると、アルミリングはずれ止め部材としての能力を一気に失うのに対し、樹脂製のずれ止め部材は仮にずれたとしてもずれるときに要する荷重はほとんど変化しない。そのため、ずれ止め部材はブッシュがトーション部の軸方向に移動するのを阻止するというずれ止め部材としての機能を維持することができる。その結果、スタビライザが所定の設計意図した性能を発揮することができ、信頼性を高めることができる。一方、ずれ止め部材は樹脂製であるため、アルミリングや鉄リングに比べて重量が軽い。そのため、スタビライザ装置の軽量化を促進することができる。
【００２５】
さらに、ずれ止め部材を一体成形した後に塗装工程を行うため、塗膜を介してずれ止め部材を肩部に固定している状態とはならず、ずれ止め部材の固定強度がスタビライザ半製品への塗料の付き具合である塗装強度に左右されることはない。そのため、本来の塗装強度が得られない場合でも、塗膜とともにずれ止め部材が移動することはなく、ずれ止め部材の固定強度を得ることができ、ずれ止め部材としての機能を十分に発揮することができる。
【００２６】
本発明において、前記射出成形工程では、前記ずれ止め部材を所定の形状に成形するためのキャビティと、前記キャビティと連続するように設けられ、前記スタビライザ半製品の肩部を支持するグリップ部とを有する金型を使用し、前記ダイレクトインジェクション時において、前記肩部と前記グリップ部との隙間が０．６ｍｍ以内であることが望ましい。この態様によれば、キャビティに注入された樹脂がキャビティからグリップ部に流入せず、ばりが発生しない。そのため、例えば、長さ１０ｍｍの樹脂製のずれ止め部材であれば、トーション部の直径公差やずれ止め部材の内側のトーション部の曲がりなどが大幅に許容される。また、ばりを除去する工程を省くことができる。その結果、低コストでスタビライザ装置を製造することができる。
【発明の効果】
【００２７】
本発明によれば、信頼性が高く軽量なスタビライザ装置を製造することができる。
【発明を実施するための最良の形態】
【００２８】
（スタビライザ装置の構成）
以下、本発明の一実施形態について図面を参照して説明する。図１は、スタビライザ装置を示す図である。図２は、車体に固定した状態を示す図１におけるＺ−Ｚ断面図である。図３は、ブラケットを示す斜視図である。図４は、ずれ止め部材の周辺を拡大して示す断面図である。図４（ａ）は、遠心力が働いていない状態を示す図である。図４（ｂ）は、遠心力が働いている状態を示す図である。図５は、ずれ止め部材を示す斜視図である。図６は、ずれ止め部材を内側に設ける実施形態を示す図である。図７は、ずれ止め部材の第１の変形例を示す図である。図８は、ずれ止め部材の第２の変形例を示す図である。図９は、ずれ止め部材の第３の変形例を示す図である。
【００２９】
スタビライザ装置１は、図１に示すように、スタビライザ１００、ブッシュ３００およびずれ止め部材４００などを備えている。スタビライザ１００は、トーション部１１０と、アーム部１２０とを有している。スタビライザ１００は、電縫管などの中空パイプや中実パイプなどの棒材を加工してトーション部１１０やアーム部１２０などが形成されている。トーション部１１０の両端部には、トーション部１１０の両端部から伸びる左右一対のアーム部１２０が設けられている。アーム部１２０の先端部には、鍛造によって扁平化された扁平部１２１が設けられている。扁平部１２１には、図示省略したスタビライザリンクが挿入されて取り付けられる取付孔１２２が設けられている。
【００３０】
スタビライザ装置１のスタビライザ１００は、スタビライザ装置１を有する車両がカーブ走行するときなどのように、左右の図示省略したサスペンション機構に上下逆位相の入力があったとき、左右のアーム部１２０が互いに逆方向に撓むとともにトーション部１１０がねじられ、車体１０の横揺れを制御するばねとして機能する。
【００３１】
トーション部１１０は、直線状でかつ円柱状または円筒状に形成されている。トーション部１１０の外周面には、ショットピーニングされることにより形成された凹凸部１１１が設けられている。トーション部１１０には、スタビライザ装置１を車両の車体１０に取り付けるためのブッシュ３００が装着されている。また、トーション部１１０には、ブッシュ３００のずれを防止するずれ止め部材４００が装着されている。
【００３２】
ブッシュ３００は、図１に示すように、トーション部１１０の左右に１個ずつ設けられている。ブッシュ３００は、ゴム製であり、ずれ止め部材４００と比較すると大きく形成されている。ブッシュ３００は、図２，図４に示すように、ボルト３０によりブッシュ３００の外周を覆う図３に示すＵ字状のブラケット２０を車体１０側に締結することにより、スタビライザ１００を車両の車体１０に固定するための部材である。
【００３３】
ずれ止め部材４００は、樹脂製である。ずれ止め部材４００を形成する樹脂としては、ポリフェニレンサルファイドまたはポリエーテルエーテルケトンなどである。ずれ止め部材４００は、トーション部１１０の軸方向の所定の範囲の全周を覆うようにトーション部１１０に対して一体形成されている。
【００３４】
このようにずれ止め部材４００は一体成形されているため、ずれ止め部材４００に構造的弱点部となる接続部がなく、荷重により安易にスタビライザ１００のトーション部１１０への固定強度を失うことを防止でき、ブッシュ３００がトーション部１１０の最適な位置に保たれる。また、アルミリングでは荷重がかかると、アルミリングはずれ止め部材としての能力を一気に失うのに対し、樹脂製のずれ止め部材４００は仮にずれたとしてもずれるときに要する荷重はほとんど変化しない。そのため、ずれ止め部材４００はブッシュ３００がトーション部１１０の軸方向に移動するのを阻止するというずれ止め部材としての機能を維持することができる。その結果、スタビライザ１００が所定の設計意図した性能を発揮することができ、信頼性を高めることができる。
【００３５】
ずれ止め部材４００は、図１に示すように、ブッシュ３００の外側に隣接して設けられている。つまり、ずれ止め部材４００は、トーション部１１０の左右に一個ずつ計２個設けられている。ずれ止め部材４００は、接触部４１０と、傾斜部４２０とを有している。ずれ止め部材４００は、ブッシュ３００がトーション部１１０の軸方向に移動するのを阻止する。
【００３６】
なお、それぞれのずれ止め部材４００がブッシュ３００の外側に隣接して設けられる実施形態に限らず、図６に示すように、それぞれのずれ止め部材４００がブッシュ３００の内側に隣接して設けられる実施形態としても、ずれ止め部材としての機能を発揮することができる。
【００３７】
ずれ止め部材４００の長さは、１０ｍｍ〜１５ｍｍの範囲に形成されている。そのため、車両がカーブするときに発生する遠心力により、ブッシュ３００がずれるのを防止する耐ずれ力を発揮しつつ、ずれ止め部材４００を小型化することができる。そのため、スタビライザ１００のトーション部１１０のブッシュ３００を除いたストレート長をできるだけ短くすることができ、スタビライザ１００を小型化することができる。その結果、スタビライザ装置１の軽量化を図ることができる。なお、ずれ止め部材４００の長さは、車両がカーブするときに発生する遠心力により、ブッシュ３００がずれるのを防止する必要な耐ずれ力に応じて決定される。
【００３８】
さらに、本実施形態では、トーション部１１０とずれ止め部材４００との接触部分に凹凸部１１１を有しているため、ずれ止め部材４００が短くても耐ずれ力は大きいので、ずれ止め部材４００の長さをより短くすることができる。
【００３９】
接触部４１０は、図５などに示すように、鍔状に形成されている。接触部４１０の側面には、ブッシュ３００の側面が接触する。接触部４１０は、ずれ止め部材４００において最も厚さが厚い部分であり、厚さが３ｍｍ〜５ｍｍに形成されている。そのため、接触部４１０がずれ止め部材４００としてブッシュ３００に接触する面積を確保しつつ、ずれ止め部材４００を小型化することができ、ずれ止め部材４００がずれ止め部材４００の周辺部品と干渉するのを防止することができる。その結果、スタビライザ装置１の軽量化を図ることができる。
【００４０】
テーパー部４２０は、図５など示すように、テーパー形状に形成されている。つまり、テーパー部４２０は、接触部４１０を挟んでブッシュ３００の反対側にトーション部１１０の軸方向に向けてブッシュ３００から離れるにしたがって外径が小さくなるように形成されている。
【００４１】
なお、テーパー部４２０を設ける実施形態に限らず、図７に示すように傾斜部分の断面形状が放物線形状となるように、テーパー部４２０に比べて減肉した放物線状部５２０を設けてもよい。あるいは、図８に示すようにテーパー部４２０および放物線状部５２０に比べてさらに減肉したテーパー状のリブ６２０を設ける、または図９に示すように傾斜部分の断面形状が放物線形状となるようなリブ７２０を設けてもよい。
【００４２】
このように駄肉をできるだけ排除することによって、ずれ止め部材がずれ止め部材の周辺部品と干渉するのを回避でき、軽量化および使用する樹脂が減ることによるコストダウンを図ることができる。また、ずれ止め部材を成形した後に行う塗装工程で、ずれ止め部材が遮蔽物となって塗装むらをずれ止め部材付近で起こすリスクを減少させることができる。
【００４３】
ずれ止め部材の軽量化については、例えば、アルミリングのずれ止め部材では、２５．４ｍｍΦのスタビライザに設けるずれ止め部材を設計すると、厚みが５．０ｍｍ、長さが１５．０ｍｍの円筒状で重さが１６ｇとなる。一方、２５．４ｍｍΦのスタビライザに設ける図９に示すようなずれ止め部材７００を樹脂で設計すると、重さが５ｇとなり、約１１ｇ／個の軽量化が図られる。そのため、一本あたりのスタビライザにはずれ止め部材が２個設けられているので、２２ｇの軽量化が図られる。
【００４４】
ここで、ずれ止め部材４００は、アルミリングや鉄リングなどの従来のずれ止め部材に比べて、より高い摩擦力を発揮することについて図２を参照して説明する。
【００４５】
車体１０に矢印Ｘ方向に遠心力が働くと、ブッシュ３００の外周に設けられたブラケット２０に荷重がかかる。このように荷重がかかると、図２（ｂ）に示すように、ブッシュ３００はずれ止め部材４００側に撓む。これによって、ずれ止め部材４００の接触部４１０の外周側の部分に荷重がかかる。そのため、ずれ止め部材４００にモーメントがトーション部１１０の軸方向に向かって働く（図６の矢印Ｙ方向）。つまり、ずれ止め部材４００の内周面でトーション部１１０の外周面を押し付ける状態となり、ずれ止め部材４００からトーション部１１０に荷重がかかる。したがって、トーション部１１０とずれ止め部材４００との摩擦力が増し、より高い摩擦力を発揮する。その結果、ブッシュ３００がずれるのを防止し、スタビライザ装置１の信頼性を高めることができる。さらに、凹凸部１１１を設けているため、高い耐ずれ力を発揮する。
【００４６】
（スタビライザ装置の製造方法）
次に、スタビライザ装置１の製造方法の一部について図面を参照して説明する。なお、成形工程から塗装工程までについて説明する。図１０は、射出成形装置を示す図である。図１０（ａ）は、トーション部の軸方向に直行する方向における射出成形装置の断面図である。図１０（ｂ）は、トーション部の軸方向における射出成形装置の断面図である。図１１は、金型を示す斜視図である。図１２は、スタビライザ装置の製造方法の一部を示すフローチャートである。
【００４７】
ここで、ずれ止め部材４００をスタビライザ半製品にダイレクトインジェクションする射出成形装置８００について図１０および図１１を参照して説明する。射出成形装置８００は、図１０に示すように、金型８１０、射出機８４０および昇降機構８５０などを備えている。金型８１０は、下型８１１と、上型８１２とを有している。下型８１１には、ゲート８１１ａが設けられている。下型８１１および上型８１２には、ずれ止め部材４００を所定の形状に成形するためのキャビティ８２０の一部となる凹部と、キャビティ８２０に連続するように設けられ、スタビライザ半製品の肩部を支持するグリップ部８３０とが設けられている。
【００４８】
射出機８４０は、樹脂を金型のキャビティ８２０に注入するための装置である。昇降機構８５０は、金型８１０の四隅に設けられている。昇降機構８５０は、上型８１２を図１０および図１１の矢印Ａ方向に昇降させる。昇降機構８５０は、グリップ部８３０が形成されている方向に沿って、スタビライザ半製品が昇降機構８５０の間を通過することができるように所定の間隔を有して設けられている。
【００４９】
昇降機構８５０により上型８１２が図１０の矢印Ａ方向に上昇すると、下型８１１から上型８１２が離間する。また、昇降機構８５０により上型８１２が図１０の矢印Ａ方向に下降すると、下型８１１と上型８１２とが接触する。下型８１１と上型８１２とが接触すると、ずれ止め部材４００を所定の形状に成形するためのキャビティ８２０が形成される。
【００５０】
スタビライザ装置１の製造方法の一部について図１２を参照して説明する。まず、所定の長さに切断された電縫管などの棒材を冷間加工により、略コ字状に成形する成形工程を行う（Ｓ８０１）。次いで、スタビライザ半製品に焼入れ・焼戻しなどの熱処理を実施する熱処理工程を行う（Ｓ８０２）。次いで、スタビライザ半製品にショットを投射するショットピーニングを行い、トーション部１１０表面のばりなどを除去するとともに、スタビライザ半製品のトーション部１１０に凹凸部１１１を形成する（Ｓ８０３）。
【００５１】
次に、以上のような処理が施されたスタビライザ半製品に射出成形装置８００を使用して、ダイレクトインジェクションにより樹脂でずれ止め部材４００を一体成形する射出成形工程を行う（Ｓ８０４）。
【００５２】
射出成形工程では、まず、スタビライザ半製品の肩部を金型８１０のグリップ部８３０にセットする。次いで、昇降機構８５０により上型８１２を図１１の矢印Ａ方向に下降させて下型８１１に接触させ、キャビティ８２０を形成する。次いで、射出機８４０を図１０の矢印Ｂ方向に移動させ、射出機８４０の先端を下型８１１のゲート８１１ａに挿入して、樹脂をゲート８１１ａからキャビティ８３０に注入する。これにより、スタビライザ半製品に接触部４１０およびテーパー部４２０を有するずれ止め部材４００が成形される。
【００５３】
このとき、スタビライザ半製品の肩部とグリップ部８３０との隙間は、０．６ｍｍ以内である。そのため、キャビティ８２０に注入された樹脂がキャビティ８２０からグリップ部８３０に流入せず、ばりが発生しない。例えば、長さが１０ｍｍ程度のずれ止め部材４００であれば、ずれ止め部材４００の軸心と肩部の軸心とが相対的に３度あるいは４度程度傾いていたとしてもずれ止め部材４００を成形可能である。したがって、長さが１０ｍｍ程度の樹脂製のずれ止め部材であれば、肩部の直径公差やずれ止め部材４００の内側の肩部の曲がりなどが大幅に許容される。また、ばりを除去する工程を省くことができる。その結果、低コストでスタビライザ装置１を製造することができる。
【００５４】
その後、スタビライザ半製品およびずれ止め部材４００を塗装する塗装工程を行う。そのため、塗膜を介してずれ止め部材４００をスタビライザ１００に固定している状態とはならず、ずれ止め部材４００の固定強度がスタビライザ半製品への塗料の付き具合である塗装強度に左右されることはない。その結果、本来の塗装強度が得られない場合でも、塗膜とともにずれ止め部材が移動することはなく、ずれ止め部材の固定強度を得ることができ、スタビライザ装置１の信頼性を高めることができる。
【００５５】
なお、キャビティ８２０を形成する金型とグリップ部８３０を形成する金型とをそれぞれ分割することができるように金型を構成すると、キャビティ８２０を形成する金型の数がアルミリングを成形する金型のバリエーションの１／３〜１／４に減らすことができるため、段取りなどの工程を効率よく行うことができる。その結果、スタビライザ装置１の生産効率を上げることができる。
【産業上の利用可能性】
【００５６】
本発明は、自動車等の車両に搭載されるスタビライザ装置に利用することができる。
【図面の簡単な説明】
【００５７】
【図１】スタビライザ装置を示す図である。
【図２】車体に固定した状態を示す図１におけるＺ−Ｚ断面図である。
【図３】ブラケットを示す斜視図である。
【図４】ずれ止め部材の周辺を拡大して示す断面図である。
【図５】ずれ止め部材を示す斜視図である。
【図６】ずれ止め部材を内側に設ける実施形態を示す図である。
【図７】ずれ止め部材の第１の変形例を示す図である。
【図８】ずれ止め部材の第２の変形例を示す図である。
【図９】ずれ止め部材の第３の変形例を示す図である。
【図１０】射出成形装置を示す図である。
【図１１】金型を示す斜視図である。
【図１２】スタビライザ装置の製造方法の一部を示すフローチャートである。
【符号の説明】
【００５８】
１…スタビライザ装置、１０…車体、１００…スタビライザ、１１０…トーション部、１１１…凹凸部、３００…ブッシュ、４００…ずれ止め部材、４１０…接触部、４２０…テーパー部、５２０…放物線状部、６２０…リブ、７２０…リブ、８１０…金型、８２０…キャビティ、８３０…グリップ部。
【図１】
0004663752.tif 000002
【図２】
0004663752.tif 000003
【図３】
0004663752.tif 000004
【図４】
0004663752.tif 000005
【図５】
0004663752.tif 000006
【図６】
0004663752.tif 000007
【図７】
0004663752.tif 000008
【図８】
0004663752.tif 000009
【図９】
0004663752.tif 000010
【図１０】
0004663752.tif 000011
【図１１】
0004663752.tif 000012
【図１２】
0004663752.tif 000013